(57)【要約】      （修正有）【課題】強風による倒伏を確実に阻止することができ、風圧抵抗を受ける面積を小さくしながらも視認性を損なうことなく、更に車両により轢かれた場合であっても、損傷の度合いが低い安全標識コーンを提供すること。【解決手段】錐体形状に形成された本体部分１１と、当該本体部分１１の下端から外向きフランジ状に広がるベース部分１２とからなり、前記本体部分１１は中空であって、その周面には本体部分１１の内外に貫通する複数の開口１３が設けられている安全標識コーン１０とする。【選択図】図１
2010285759.tif 000002
【特許請求の範囲】
【請求項１】
錐体形状に形成された本体部分と、当該本体部分の下端から外向きフランジ状に広がるベース部分とからなり、
前記本体部分は中空であって、その周面には本体部分の内外に貫通する複数の開口が設けられていることを特徴とする安全標識コーン。
【請求項２】
前記各開口の開口面積を総計した開口総面積は、本体部分の周面全体の面積の３０〜７５％であり、各開口の開口面積は１００ｃｍ２以下である、請求項１に記載の安全標識コーン。
【請求項３】
前記本体部分は、相互に交差する部分を有する網目状に形成されている請求項１に記載の安全標識コーン。
【発明の詳細な説明】
【技術分野】
【０００１】
本発明は、本考案は、道路の安全標識、広告・宣伝標識及び案内標識等として広く使用される安全標識コーンの改良に関し、特に風などによる横倒の問題を解消しながらも、視認性を高めた安全標識コーンに関する。
【背景技術】
【０００２】
従来、道路工事等の工事現場で車道などの道路幅の限界を示すため、或いは各種イベント会場において車両を案内するために、プラスチック等で形成された略円錐形状の安全標識コーンが用いられている。かかる安全標識コーンの具体的な構成は、円錐形状のコーン本体の下端部に、外向きフランジ状で平面視略方形の台板が設けられており、当該台板によって、常には起立させておくことができる。
【０００３】
かかる安全標識コーンでは、通常、屋外で使用されるものであり、コーン本体部分が薄肉に形成されて全体の軽量化が図られており、その一方で視認性を高めるために、当該コーン本体部分は十分な太さ（径）を有しているので風圧抵抗面積が広くなっている。この為、安全標識コーンを単に地上に置いただけでは、強風時に移動したり転倒したりするおそれがある。
【０００４】
そこで従前において、転倒防止のため、重さ約２ｋｇ程度ののコーンベッド（重石）を使用することも行なわれている。かかるコーンベッド（重石）は、一般には硬質のゴム製であり、リング状であるか又は平面方形状であって中央部に円形の透孔を有して形成され、当該透孔にコーン本体部分を挿通して台板を押さえつけるように構成されている。
【０００５】
しかしながら、かかるコーンベッドを使用する際には、安全標識コーンを設置した後に、迅速に当該コーンベッドを被せる必要があり、また車両などとの接触により安全標識コーンが横倒した場合には、このコーンベッドが外れてしまうこともあり、更にコーンベッド自体が重量物であることから、その設置及び回収作業が大変であるなどの課題がある。
【０００６】
そこで従来、安全標識コーン自体の構造ないし形状を改良し、強風などによる横倒を阻止する安全標識コーンも提案されている。
【０００７】
例えば特許文献１（登録実用新案第３０２０５２０号公報）では、重錘を付けなくても強風に耐えられるように、転倒防止の機能をもたせるべく、円錐型の本体と、同本体の底面に固着された台板とを備え、上記本体の全周面にわたり、縦方向に延在する突条が６本以上等間隔に配設された安全標識コーンが提案されている。
【０００８】
また、特許文献２（特開２００５−２７３３５０号公報）では、設置作業性に優れ、保管スペースの削減ができ、しかも横風が当たっても転倒し難い保安資材を提供するべく、複数の脚部を設けた本体部と、脚を有しかつ前記本体部の下端部を挿嵌させる挿嵌部を設けたベース部とが具備されており、前記本体部の上方に、外方に開口したスリットまたは該スリットに連続する孔のいずれかが形設されている保安資材が提案されている。
【０００９】
更に特許文献３（特開２００７−２１１４９５号公報）では、風速に応じて耐風性能を増すカラーコーンを提案するべく、底部に低反発弾性体を装着した台座と、側面に外側に開くチャッキバルブを複数装備したコーン部により構成することが提案されている。
【００１０】
そして特許文献４（特開平１１−３６２４３号公報）では、地面上に設置した状態で強風を受けると移動したり転倒したりするおそれがあるとの課題を解決するべく、縦長棒状であってそれぞれ発光機能を有する３本以上の複数本からなる表示灯部材と、各表示灯部材の上部を連結する上部構造体と、各表示灯部材の下部を連結する下部構造体とを備え、各表示灯部材は、水平円周方向に所定間隔の空所をもたせた状態でそれぞれ縦向きに配置する一方、各表示灯部材の各上部と上部構造体及び各表示灯部材の各下部と下部構造体とをそれぞれ取外し不能に一体化させた表示灯つき標識コーンが提案されている。
【先行技術文献】
【特許文献】
【００１１】
【特許文献１】登録実用新案第３０２０５２０号公報
【特許文献２】特開２００５−２７３３５０号公報
【特許文献３】特開２００７−２１１４９５号公報
【特許文献４】特開平１１−３６２４３号公報
【発明の概要】
【発明が解決しようとする課題】
【００１２】
上記のように、従来から安全標識コーン自体の構造ないし形状を改良し、強風などによる横倒を阻止する事は種々提案されている。
【００１３】
しかしながら、従来提案されているものは、強風などによる横倒を阻止する点に関し、未だ改良の余地がある。そこで本発明は、強風による倒伏を確実に阻止することのできる安全標識コーンを提供することを第一の課題とする。
【００１４】
また従前においては、例えば特許文献４で提案されているように、強風時の風圧抵抗面積を小さくして、倒伏を阻止することも提案されているが、その結果、当該安全標識コーンが本来果たさなければならない機能、すなわち視認性を高めるといった機能が低下してしまうことになる。そこで本発明では、風圧抵抗を受ける面積を小さくしながらも、視認性を損なうことのない安全標識コーンの提供を第二の課題とする。
【００１５】
そして、かかる安全標識コーンに関しては、風により倒伏乃至は移動した際、或いは起立状態であっても車両との接触などにより轢かれてしまう事もあり、その結果、耐久性に関して未だ改良の余地を有するものとなっていた。そこで本発明は、車両により轢かれた場合であっても、損傷の度合いが低い安全標識コーンを提供することを第三の課題とする。
【課題を解決するための手段】
【００１６】
上記課題の少なくとも何れかを解決するべく、本発明では、錐体形状に形成した本体部分と、当該本体部分の下端から外向きフランジ状に広がるベース部分とからなり、前記本体部分は中空であって、その周面には本体部分の内外に貫通する複数の開口が設けられている安全標識コーンを提供する。
【００１７】
上記本体部分は、多くの場合、中空円錐形状に形成されるものであるが、その他にも中空四角錐形状、中空五角錐形状などの各種錐体形状に形成することができる。この本体部分は、道路等に設置した状態において、地面などから立ち上がって運転者などの注意を喚起するものであることから、より大きいサイズで形成されるのが望ましいが、その一方で設置作業の労力および保管時のスペースを考慮すれば、小さく軽量であることが望ましい。よって、このような相反する要求を考慮すれば、従来一般に道路工事に使用されている安全標識コーンの大きさに形成されれば良い。具体的には、高さが６０〜８０ｃｍ程度、或いは高さが約１６０ｃｍ程度の大きさの円錐形状に形成されるのが望ましい。
【００１８】
また、本発明にかかる安全標識コーンは、ポリエチレン、ゴム、その他の樹脂を用いて形成することができる。また望ましくは、十分な柔軟性を有しながらも、車両に踏まれた場合でも亀裂などが生じることのない引っ張り強度を有する樹脂材料を用いて形成することが望ましい。
【００１９】
上記安全標識コーンの本体部分、材料の無駄を省き、且つ軽量化を目的として中空に形成される。更に本発明における安全標識コーンでは、その周面に本体部分の内外に貫通する複数の開口が設けられる。この本体部分の内外に貫通する開口は、複数の孔を穿設して形成することができ、各開口の形状は方形、矩形、多角形、円形等の幾何学形状の他、ハート形状、動植物を模した形状などの各種意匠形状に穿孔することができる。
【００２０】
またかかる開口は、各開口の開口面積を総計した開口総面積が、本体部分の周面全体の面積の３０〜７５％に形成されていることが望ましい。すなわち、かかる安全標識コーンの本体部分における周面は、開口とその周りのフレームとで構成されることになるが、当該周面全体の３０〜７５％が開口し、２５〜７０％がフレームとして存在することが望ましい。フレーム部分の面積が２５％未満であると、視認性の観点から望ましくなく、また７０％を超えると風圧抵抗面積が大きくなり、風による横倒を阻止するとの効果を十分に期待できないためである。そして、このような開口を設けることにより、風による移動や横倒を防ぐことができる他、軽量化を果たすことができ、また材料費を削減できるとの効果が得られる。
【００２１】
更に、安全標識コーンの本体部分周面に形成される開口は、それぞれの開口の開口面積が１００ｃｍ２以下である事が望ましい。１つあたりの開口の開口面積が１００ｃｍ２を超える場合、実際に視認されるべきフレーム部分の面積が狭小になってしまい、十分な視認性を得られない為である。一方、それぞれの開口の開口面積は１ｃｍ２以上である事が望ましい。開口面積が１ｃｍ２未満であっても風の通過は可能であるが、通過抵抗を考慮すれば１ｃｍ２以上であることが望ましい。
【００２２】
また、本体部分周面に形成される開口は、その全体に遍在させることが望ましいが、当該本体部分の何れかの径方向に偏在させたり、当該本体部分の高さ方向に偏在させることもできる。特に風の通過方向が定まっている場所に設置する場合には、当該風の向きに合わせて開口を偏在させることができる。また安全標識コーンが風によって移動するのを阻止するためには、安全標識コーンの下方（ベース部分側）に開口を偏在することが望ましく、横倒を阻止するためには、安全標識コーンの上方（円錐形状の頂点側）に開口を偏在させることが望ましい。
【００２３】
そして本発明にかかる安全標識コーンは、その本体部分の周面を形成するフレーム部分（開口以外の部分）が、交差する部分を有するように、特に網目状に形成されることが望ましい。フレーム部分が交差する部分を有することから、少なくとも交差する向きに延伸するように構成される。具体的には、当該フレーム部分は縦方向に延伸する部分と横方向（即ち、周方向）に延伸する部分を備えて構成されることになり、これにより視認性を高めることができる。即ち、仮にフレーム部分が縦方向にのみ延伸する場合には、設置される周囲の環境などに応じては、著しく視認性が劣ってしまい、運転者などに対する注意喚起の機能が低下してしまう。よって、本発明における安全標識コーンの本体部分を構成するフレーム部分は、縦方向、横方向、右斜め方向、左斜め方向などから選択される少なくとも２方向に延伸した部分を有するように構成される。
【００２４】
更に、この開口の形成により可撓性が向上し、仮に車両などにより轢かれた場合であっても、この開口の存在により轢かれたときの変形が吸収され、本の形状に復元しやすくなる。これにより、車両により轢かれた場合であっても、損傷の度合いが低い安全標識コーンが実現する。
【発明の効果】
【００２５】
以上のように構成された安全標識コーンでは、従来から提供されている安全標識コーンの側面に複数の開口を設けるだけであることから、製造が簡易でありながらも、風による移動や横倒を確実に阻止することができる。しかも製造に際しては材料を削減でき、更に使用に際しても軽量化を図ることができる。
【００２６】
更に、側面における開口以外の領域（即ちフレーム部分）を交差する向きに延在させることにより、運転者などの視認性を高め、安全標識コーン本来の機能を確実に発現させることができる。
【００２７】
そして開口の存在により、車両に轢かれたとき変形が吸収され、破損や変形するといった損傷を極力少なくすることができる。
【図面の簡単な説明】
【００２８】
【図１】本実施の形態にかかる安全標識コーンを示す斜視図である。
【図２】図１に示した安全標識コーンの（Ａ）縦断面図、（Ｂ）水平端面図である。
【図３】図１に示した安全標識コーン内に電球を設置した状態を示す縦断面図である。
【図４】他の実施の形態にかかる安全標識コーンの縦断面図である。
【図５】更に他の実施の形態にかかる安全標識コーンの縦断面図である。
【発明を実施するための形態】
【００２９】
以下、本発明にかかる安全標識コーン１０の１つの実施の形態を図面に基づいて具体的に説明する。
【００３０】
先ず、図１は本実施の形態にかかる安全標識コーン１０を示す斜視図であり、図２は、図１に示した安全標識コーン１０の（Ａ）縦断面図、および（Ｂ）水平端面図である。これらの図に示すように、当該安全標識コーン１０は、円錐形状の本体部分１１と、当該本体部分１１の下端に外向きフランジ状に延在する方形または矩形のベース部分１２とで構成されており、両者は有彩色または無彩色（白色及び黒色を含む）の樹脂材料を用いて一体成型されている。
【００３１】
本体部分１１の周面には、本実施の形態では矩形の開口１３が高さ方向および周方向に規則的に配置されている。この図１において、周面に形成される開口１３の開口面積の総和（総開口面積）は、周面全体の面積の約５０〜７０％程度に調整されており、また周面全体に遍在させていることから、仮に強風下に晒された場合でも、風は当該開口を通り過ぎることができる。具体的には風は、図２（Ｂ）のｂ−ｂ断面図中に実線で示したように、周面に形成された開口１３を通過してそのまま反対側（対向する位置）に形成された開口１３を通り過ぎることから、安全標識コーン１０自体が受ける風圧抵抗はごく僅かである。この為、当該安全標識コーン１０が風によって移動してしまったり、或いは横倒しになってしまう恐れをなくすことができる。
【００３２】
また、このように開口１３を設けて側面における風圧抵抗面積を小さくした場合であっても、運転者などからの視線では、図１および図２（Ｂ）のｂ−ｂ断面図中の鎖線で示すように、何れかの開口１３からは、その対向位置に存在するフレーム部分１４の内面側が視認される。よって、運転者などが側方から見た場合においては、何ら視認性に劣ることはない。
【００３３】
したがって、このように側面に開口１３が形成された安全標識コーン１０では、風圧抵抗が小さくなり、その一方で、従来提供されている安全標識コーン１０と変わらない視認性を確保することができるのであるから、十分な視認性を確保しながらも、更に風などによる移動や倒伏といった問題を解消することのできる安全標識コーン１０となる。
【００３４】
特に、この実施の形態にかかる安全標識コーン１０では、周方向に７つの開口１３を、高さ方向に５段形成しており、各開口１３の間に存在するフレーム部分１４は、縦方向と横方向に延在し、かつ相互に交差するものとなっている。この為、当該安全標識コーン１０を設置した周囲環境においても、横方向または縦方向に延在するフレーム部分１４の少なくとも何れかが視認されることから、設置場所の周囲環境を受けることなく、十分な視認性を確保した安全標識コーン１０となっている。
【００３５】
また、図１の斜視図に示した安全標識コーン１０では、特に当該安全標識コーン１０の設置時における安定性をより高める事を目的としてコーンベッド２０を設置した状態を示しているが、通常の使用において、当該コーンベッドの使用は必須ではない。またこの図面に示す安全標識コーン１０では、ベース部分１２には当該安全標識コーン１０の内部空間１５に電球その他の発光体２２を設置した場合に、当該発光体２２に対して電力を供給するためのコード孔２１を形成している。
【００３６】
次に、安全標識コーン１０の内部空間１５内に電球などの発光体２２を設置した状態を図３の示す縦断面図に示す。この図３（Ａ）および（Ｂ）に示すように、電球などの発光体２２の設置方法には特に制限はなく、即ち図３（Ａ）に示すように、安全標識コーン１０の上端を切開して発光体２２挿入口を形成し、当該発光体２２挿入口に電球などの発光体２２を差し入れたり、図３（Ｂ）に示すように、安全標識コーン１０の中空部における下端（即ち地上など）に、電球などの発光体２２を収容することもできる。このように発光体２２を内部空間１５に設置した場合、発光体２２は中空円錐形状に形成された安全標識コーン１０の内部空間１５内で発光することになる。この時、従来提供されているような周面に開口１３が存在しない安全標識コーンの場合には、同じように内部空間１５で発光体２２を発光させたとしても、その光は安全標識コーンの側面を透過してのみ、外から視認される。しかしながら、かかる安全標識コーンはポリエチレンなどの樹脂材料を用いて形成され、光の透過性が高くないのが通常であることから、従来の安全標識コーンにおいて電球などの光源２２を使用した場合には、十分な明るさを発現させることができず、夜間における視認性が未だ十分ではなかった。
【００３７】
この点、本実施の形態にかかる安全標識コーン１０では、その中空部内で発光している光源２２の光は、開口１３から外に放射され、十分な明るさを確保することができる。加えて光源２２からの光は、本体部分１１の内周面を直接照らし出し、この照らし出した内周面を開口１３から視認することができる。よってこの安全標識コーン１０は、夜間における視認性も高めることのできるとの効果も得られる。
【００３８】
図４は上記図１に示した安全標識コーン１０とは、開口１３の配置が異なっており、特に開口１３を円錐形状に形成された本体部分１１の上部と、高さ方向の中間よりも下側に開口１３を偏在させた実施の態様を示している。このように形成した安全標識コーン１０では、地上付近を通る風は、安全標識コーン１０の高さ位置の中央よりも下方に存在する開口１３を通り抜けて行き、当該開口１３を通過する際に中空部（即ち内部空間１５）内に滞留した風は、上部側に穿孔された開口１３から上方乃至は放射方向に放出され、当該安全標識コーン１０の風による浮き上がりを阻止することができる。更に、このように高さ方向の中央よりも上方に存在する周面には開口１３を設けないことにより、当該周面の面積を広くし、運転者などにおける視認性を高めている。
【００３９】
また、この周方向に帯状に存在する開口１３が形成されていない領域には、当該安全標識コーン１０の所有者の名称乃至はロゴや、「駐車禁止」などのメッセージを表記するための領域としても使用することができる。
【００４０】
なお、この様に形成した安全標識コーン１０において、開口１３が形成されていない領域に対して風が当たった場合には、当該風は従前のように安全標識コーン１０の周囲を囲むようにして流れることになるが、その領域は狭いことから風力抵抗を十分に小さくすることができ、よって、風による当該安全標識コーン１０の移動や倒伏を阻止することができる。
【００４１】
図５は、上記した実施に形態に示す安全標識コーン１０とは、更に異なる位置に開口１３を配置した安全標識コーン１０を示しており、特に本体部分１１の上方（頂上側）に開口１３を偏在させて形成したものである。このように形成した安全標識コーン１０によれば、設置した安全標識コーン１０において風が力点として作用する頂上付近においては風圧抵抗を大幅に減じることができ、よって強風により倒伏する恐れをなくすことができる。更に、当該本体部分１１の上端に形成した開口１３は、作業者が当該安全標識コーン１０を設置または回収する際に、当該開口１３を恥部とすることもでき、設置作業の労力を大幅に軽減することもできる。
なお、上記図４および５中に示す矢印は、風の流れを示している。
【産業上の利用可能性】
【００４２】
本発明にかかる安全標識コーンは、道路工事等の工事現場等で境界を示すため、或いは運動会その他の各種イベントにおいて人の注意を喚起するための安全標識コーンであり、風などによる横倒や移動を阻止しながらも、子供など体力が十分でないものであっても持ち運べる程に軽量化した安全標識コーンとして利用することができる。
【符号の説明】
【００４３】
１０    安全標識コーン
１１ 本体部分
１２ ベース部分
１３ 開口
１４ フレーム部分
１５ 内部空間
２０ コーンベッド
２１ コード孔
２２ 発光体（光源）
【図１】
2010285759.tif 000003
【図２】
2010285759.tif 000004
【図３】
2010285759.tif 000005
【図４】
2010285759.tif 000006
【図５】
2010285759.tif 000007